(57)【要約】【課題】ファイル名が作成できない理由で記録できなくなる事態を回避できるようにする。【解決手段】書き換え可能な記録媒体（１）を他の記録媒体（２）に交換した場合、「通し番号」が設定されているかどうかを判定し、「通し番号」が設定されている場合、交換した記録媒体（２）がライトワンスの記録媒体であるかどうかを判定する。その結果、記録媒体（２）がライトワンスの記録媒体である場合、ファイル名の決定方法を「通し番号」から「オートリセット」に自動的に変更する。例えば記録媒体（１）にディレクトリ名「101yyyyy」、ファイル名「YYYY0102.JPG」のファイルまで記録した後、記録媒体（２）に交換すると、記録媒体（２）には「オートリセット」に則ってディレクトリ名「100yyyyy」、ファイル名「YYYY0001.JPG」のファイルが記録される。【選択図】図１
2010050851.tif 000002
【特許請求の範囲】
【請求項１】
書き換え可能な記録媒体及び書き換え不能な記録媒体を装着可能な装着部を備えた記録装置であって、
前記装着部に装着された記録媒体にファイルを記録する際の番号付きのファイル名を決定する決定手段と、
前記決定手段で決定されたファイル名を用いて前記装着部に装着された記録媒体にファイルを記録する記録制御手段とを備え、
前記装着部に装着される記録媒体が交換され、書き換え可能な記録媒体と書き換え不能な記録媒体とが入れ替わった場合に、前記決定手段はファイル名の決定方法を変更することを特徴とする記録装置。
【請求項２】
ファイル名に割り当てる番号を決定するために用いる番号情報を記憶する内蔵メモリを備え、
前記決定手段は、前記内蔵メモリに記憶されている番号情報と、前記装着部に装着された記録媒体に格納されているファイルの番号とを比較することによりファイル名に割り当てる番号を決定する第１の決定方法と、前記内蔵メモリに記憶されている番号情報を用いずに、前記装着部に装着された記録媒体に格納されているファイルの番号を参照することによりファイル名に割り当てる番号を決定する第２の決定方法とを実行することを特徴とする請求項１に記載の記録装置。
【請求項３】
前記決定手段が前記第１の決定方法を実行する状態にあるときに、前記装着部に装着される記録媒体が書き換え可能な記録媒体から書き換え不能な記録媒体に交換された場合、前記決定手段は前記第１の決定方法から前記第２の決定方法に変更することを特徴とする請求項２に記載の記録装置。
【請求項４】
前記装着部に装着される記憶媒体が書き換え不能な記録媒体から書き換え可能な記録媒体に交換された場合に、前記決定手段は前記第２の決定方法から前記第１の決定方法に戻すことを特徴とする請求項３に記載の記録装置。
【請求項５】
前記装着部に装着される記憶媒体が書き換え不能な記録媒体から書き換え可能な記録媒体に交換されて、前記第２の決定方法から前記第１の決定方法に戻した際に、前記第２の決定方法によりファイル名に割り当てた番号を前記内蔵メモリに反映させることを特徴とする請求項４に記載の記録装置。
【請求項６】
前記第１の決定方法は、前記内蔵メモリに記憶されている番号情報と、前記装着部に装着された記録媒体に格納されている最大ファイル番号とを比較して、大きいほうに＋１した番号を割り当てる決定方法であり、前記第２の決定方法は、前記装着部に装着された記録媒体に格納されている最大ファイル番号に＋１した番号を割り当てる決定方法であることを特徴とする請求項１乃至５のいずれか１項に記載の記録装置。
【請求項７】
書き換え可能な記録媒体及び書き換え不能な記録媒体を装着可能な装着部を備えた記録装置であって、
ファイル名に割り当てる番号を決定するために用いる番号情報を記憶する内蔵メモリと、
前記内蔵メモリに記憶されている番号情報と、前記装着部に装着された記録媒体に格納されているファイルの番号とを比較することによりファイル名に割り当てる番号を決定する第１の決定方法を実行する決定手段と、
前記決定手段で決定されたファイル名を用いて前記装着部に装着された記録媒体にファイルを記録する記録制御手段と、
前記決定手段が前記第１の決定方法を実行する状態で、前記装着部に装着される記録媒体が書き換え可能な記録媒体から書き換え不能な記録媒体に交換された場合、警告を行う警告手段とを備えたことを特徴とする記録装置。
【請求項８】
前記警告手段は、前記装着部に装着された書き換え不能な記録媒体の残容量に応じて、警告の要否を判定することを特徴とする請求項７に記載の記録装置。
【請求項９】
前記決定手段は、前記内蔵メモリに記憶されている番号情報を用いずに、前記装着部に装着された記録媒体に格納されているファイルの番号を参照することによりファイル名に割り当てる番号を決定する第２の決定方法も実行でき、
前記警告手段は、前記決定手段が前記第２の決定方法を実行する状態で、前記装着部に装着される記録媒体が書き換え可能な記録媒体から書き換え不能な記録媒体に交換された場合、警告を行わないことを特徴とする請求項７又は８に記載の記録装置。
【請求項１０】
前記第１の決定方法は、前記内蔵メモリに記憶されている番号情報と、前記装着部に装着された記録媒体に格納されている最大ファイル番号とを比較して、大きいほうに＋１した番号を割り当てる決定方法であることを特徴とする請求項７乃至９のいずれか１項に記載の記録装置。
【請求項１１】
前記第２の決定方法は、前記装着部に装着された記録媒体に格納されている最大ファイル番号に＋１した番号を割り当てる決定方法であることを特徴とする請求項９に記載の記録装置。
【請求項１２】
ファイルに割り当てる番号には上限が定められていることを特徴とする請求項１乃至１１のいずれか１項に記載の記録装置。
【請求項１３】
前記決定手段及び前記記録制御手段はＤＣＦ規格に準じたものであることを特徴とする請求項１乃至１２のいずれか１項に記載の記録装置。
【請求項１４】
書き換え可能な記録媒体及び書き換え不能な記録媒体を装着可能な装着部と、
前記装着部に装着された記録媒体にファイルを記録する際の番号付きのファイル名を決定する決定手段と、
前記決定手段で決定されたファイル名を用いて前記装着部に装着された記録媒体にファイルを記録する記録制御手段とを備えた撮像装置の制御方法であって、
前記装着部に装着される記録媒体が交換され、書き換え可能な記録媒体と書き換え不能な記録媒体とが入れ替わった場合に、前記決定手段でのファイル名の決定方法を変更するステップを有することを特徴とする記録装置の制御方法。
【請求項１５】
書き換え可能な記録媒体及び書き換え不能な記録媒体を装着可能な装着部と、
ファイル名に割り当てる番号を決定するために用いる番号情報を記憶する内蔵メモリと、
前記内蔵メモリに記憶されている番号情報と、前記装着部に装着された記録媒体に格納されているファイルの番号とを比較することによりファイル名に割り当てる番号を決定する第１の決定方法を実行する決定手段と、
前記決定手段で決定されたファイル名を用いて前記装着部に装着された記録媒体にファイルを記録する記録制御手段とを備えた記録装置の制御方法であって、
前記決定手段が前記第１の決定方法を実行する状態で、前記装着部に装着される記録媒体が書き換え可能な記録媒体から書き換え不能な記録媒体に交換された場合、警告を行うステップを有することを特徴とする記録装置の制御方法。
【請求項１６】
書き換え可能な記録媒体及び書き換え不能な記録媒体を装着可能な装着部に装着された記録媒体にファイルを記録する際の番号付きのファイル名を決定する決定手段と、
前記決定手段で決定されたファイル名を用いて前記装着部に装着された記録媒体にファイルを記録する記録制御手段としてコンピュータを機能させ、
前記装着部に装着される記録媒体が交換され、書き換え可能な記録媒体と書き換え不能な記録媒体とが入れ替わった場合に、前記決定手段はファイル名の決定方法を変更することを特徴とするプログラム。
【請求項１７】
書き換え可能な記録媒体及び書き換え不能な記録媒体を装着可能な装着部と、
ファイル名に割り当てる番号を決定するために用いる番号情報を記憶する内蔵メモリと、
前記内蔵メモリに記憶されている番号情報と、前記装着部に装着された記録媒体に格納されているファイルの番号とを比較することによりファイル名に割り当てる番号を決定する第１の決定方法を実行する決定手段と、
前記決定手段で決定されたファイル名を用いて前記装着部に装着された記録媒体にファイルを記録する記録制御手段と、
前記決定手段が前記第１の決定方法を実行する状態で、前記装着部に装着される記録媒体が書き換え可能な記録媒体から書き換え不能な記録媒体に交換された場合、警告を行う警告手段としてコンピュータを機能させるためのプログラム。
【発明の詳細な説明】
【技術分野】
【０００１】
本発明は、デジタルカメラ等により撮影された画像や映像を所定の規則に従ってファイル形式で記録媒体に格納するのに利用して好適な記録装置、その制御方法及びプログラムに関する。
【背景技術】
【０００２】
近年、デジタル技術の発展等に伴い、撮影した画像情報や映像情報を電子的に処理するデジタルカメラが普及してきている。このようなデジタルカメラでは、撮影レンズを通過した被写体光束がＣＣＤ等の固体撮像素子に到達して形成される被写体像を電気信号に変換して画像信号として出力する。そして、固体撮像素子から出力された画像信号に画像処理回路内でさまざまな変換処理を施し、最終的にはメモリカード等の記録媒体に画像ファイルとして保存する。
【０００３】
デジタルカメラの記録媒体上の画像ファイルを管理する規格としては、カメラファイルシステム規格であるＤＣＦ（ＪＥＩＤＡ規格：Design rule for Camera File system）が現在主流となっている。また、記録媒体上の映像ファイルを管理する規格としては、ＳＤ−Ｖｉｄｅｏ、ＡＶＣＨＤといった規格が広く知られている。
【０００４】
一般的にデジタルカメラでは、ＤＣＦ規格に則り、ファイルを番号付きのファイル名で管理する。すなわち、記録メディア内にあるディレクトリ名やファイル名は重複しない番号で管理され、記録順にファイル番号を一つずつ増やしてファイル名を作成している。ＤＣＦ規格では、ディレクトリ名はxxxyyyyy（xxx:100〜999までの数値、y:任意の文字）、ファイル名はYYYYXXXX（XXXX:0001〜9999までの数値、Y:任意の文字）から構成される。カメラによっては、前回記録したディレクトリ番号、ファイル番号を内蔵メモリに記憶しておくことにより、記録媒体を交換してもディレクトリ番号、ファイル番号が引き継がれ、記録媒体によらず、番号を重複させない機能が存在している。同時にこの機能を無効にする切換え手段を備えている場合、新たな記録媒体には、最初のディレクトリ番号、ファイル番号（例えば100yyyyyディレクトリ、YYYY0001.JPGファイル）を割り当てて、画像データを記録することも可能である。
【０００５】
しかしながら、上記ファイルシステム規格では、ファイル及びディレクトリの命名規則に制限があるため、実際の記録媒体がメモリフルとなっていないにも関わらず、新規ファイルや新規ディレクトリが生成できないといった現象が発生する。デジタルカメラには、ディレクトリ名「999yyyyy」、ファイル名「YYYY9999」のファイルまで記録した場合は、これ以降の記録を禁止するものもある。そのため、撮影中にディレクトリ番号とファイル番号が上限に達したら、撮影を続けるために一度記録媒体を初期化し、これらの番号をリセットさせる必要がある。
【０００６】
【特許文献１】特開２００３−１５０９２９号公報
【特許文献２】特開２００３−１５８６４５号公報
【発明の開示】
【発明が解決しようとする課題】
【０００７】
一般的には、カード型半導体メモリやＤＶＤ−ＲＷのように何度も書き換え可能な記録媒体に対して画像データを記録することが多い。その一方で、安価なＤＶＤ−Ｒや、その他一度しかデータ記録することができない記録媒体に対して画像データを記録する機会が今後、増加していくことが予想される。
【０００８】
このようなライトワンスの記録媒体にファイルを記録する場合、ディレクトリ番号、ファイル番号が上限に達してしまうと、上述したようにそれ以降の撮影を禁止してしまうデジタルカメラでは撮影ができなくなってしまう。その上、ライトワンスの記録媒体であるため、初期化しリセットすることができず、空き容量があるにもかかわらず、その記録媒体を用いて新たな画像を撮影できなくなってしまう可能性がある。
【０００９】
この種の問題に関して、記録されているファイル構成を解析し、使用されていないディレクトリ番号とファイル番号を探し出して、使用されていないディレクトリ番号とファイル番号を用いて記録する方法がある。しかしながら、記録されている画像を再生する場合、ディレクトリ番号及びファイル番号の小さい方から再生するために、再生される画像の順番と撮影した順番が異なってしまう、つまり、時系列が崩れてしまうという問題がある。
【００１０】
特許文献１では、ファイル番号が上限に達したら未使用のディレクトリや新たに作成したディレクトリに記録を続行する方法が提案されている。しかしながら、特許文献２では、記録中にファイル番号が上限に達してしまっても記録を続行できる利点があるが、ファイル番号と記録順の時系列が崩れてしまう。また、今まで記録してきたフォルダやファイル名と異なる文字列を持つフォルダやファイル名として記録されてしまうため、記録後のファイル整理が煩雑になってしまうおそれがある
【００１１】
また、特許文献２では、ファイルの格納規格に基づき記録媒体に作成可能な作成可能ファイル数を算出し、記録媒体の残容量に基づき記録媒体に記録可能な記録可能枚数を算出する。そして、これら両ファイル数を比較し、いずれか少ない方の数値を撮影可能枚数として表示すると共に、その旨を警告し対処方法を表示する。ここでの対処方法とは、ディレクトリ番号を小さい順に初期値から振りなおす方法又はディレクトリ名称を変更する方法である。
【００１２】
本発明は以上のような状況に鑑みてなされたものであり、ファイル名が作成できない理由で記録できなくなる事態を回避できるようにすることを目的とする。
【課題を解決するための手段】
【００１３】
本発明の記録装置は、書き換え可能な記録媒体及び書き換え不能な記録媒体を装着可能な装着部を備えた記録装置であって、前記装着部に装着された記録媒体にファイルを記録する際の番号付きのファイル名を決定する決定手段と、前記決定手段で決定されたファイル名を用いて前記装着部に装着された記録媒体にファイルを記録する記録制御手段とを備え、前記装着部に装着される記録媒体が交換され、書き換え可能な記録媒体と書き換え不能な記録媒体とが入れ替わった場合に、前記決定手段はファイル名の決定方法を変更することを特徴とする。
本発明の別の記録装置は、書き換え可能な記録媒体及び書き換え不能な記録媒体を装着可能な装着部を備えた記録装置であって、ファイル名に割り当てる番号を決定するために用いる番号情報を記憶する内蔵メモリと、前記内蔵メモリに記憶されている番号情報と、前記装着部に装着された記録媒体に格納されているファイルの番号とを比較することによりファイル名に割り当てる番号を決定する第１の決定方法を実行する決定手段と、前記決定手段で決定されたファイル名を用いて前記装着部に装着された記録媒体にファイルを記録する記録制御手段と、前記決定手段が前記第１の決定方法を実行する状態で、前記装着部に装着される記録媒体が書き換え可能な記録媒体から書き換え不能な記録媒体に交換された場合、警告を行う警告手段とを備えたことを特徴とする。
本発明の記録装置の制御方法は、書き換え可能な記録媒体及び書き換え不能な記録媒体を装着可能な装着部と、前記装着部に装着された記録媒体にファイルを記録する際の番号付きのファイル名を決定する決定手段と、前記決定手段で決定されたファイル名を用いて前記装着部に装着された記録媒体にファイルを記録する記録制御手段とを備えた撮像装置の制御方法であって、前記装着部に装着される記録媒体が交換され、書き換え可能な記録媒体と書き換え不能な記録媒体とが入れ替わった場合に、前記決定手段でのファイル名の決定方法を変更するステップを有することを特徴とする。
本発明の別の記録装置の制御方法は、書き換え可能な記録媒体及び書き換え不能な記録媒体を装着可能な装着部と、ファイル名に割り当てる番号を決定するために用いる番号情報を記憶する内蔵メモリと、前記内蔵メモリに記憶されている番号情報と、前記装着部に装着された記録媒体に格納されているファイルの番号とを比較することによりファイル名に割り当てる番号を決定する第１の決定方法を実行可能な決定手段と、前記決定手段で決定されたファイル名を用いて前記装着部に装着された記録媒体にファイルを記録する記録制御手段とを備えた記録装置の制御方法であって、前記決定手段が前記第１の決定方法を実行する状態で、前記装着部に装着される記録媒体が書き換え可能な記録媒体から書き換え不能な記録媒体に交換された場合、警告を行うステップを有することを特徴とする。
本発明のプログラムは、書き換え可能な記録媒体及び書き換え不能な記録媒体を装着可能な装着部に装着された記録媒体にファイルを記録する際の番号付きのファイル名を決定する決定手段と、前記決定手段で決定されたファイル名を用いて前記装着部に装着された記録媒体にファイルを記録する記録制御手段としてコンピュータを機能させ、前記装着部に装着される記録媒体が交換され、書き換え可能な記録媒体と書き換え不能な記録媒体とが入れ替わった場合に、前記決定手段はファイル名の決定方法を変更することを特徴とする。
本発明の別のプログラムは、書き換え可能な記録媒体及び書き換え不能な記録媒体を装着可能な装着部と、ファイル名に割り当てる番号を決定するために用いる番号情報を記憶する内蔵メモリと、前記内蔵メモリに記憶されている番号情報と、前記装着部に装着された記録媒体に格納されているファイルの番号とを比較することによりファイル名に割り当てる番号を決定する第１の決定方法を実行する決定手段と、前記決定手段で決定されたファイル名を用いて前記装着部に装着された記録媒体にファイルを記録する記録制御手段と、前記決定手段が前記第１の決定方法を実行する状態で、前記装着部に装着される記録媒体が書き換え可能な記録媒体から書き換え不能な記録媒体に交換された場合、警告を行う警告手段としてコンピュータを機能させる。
【発明の効果】
【００１４】
本発明によれば、書き換え不能な記録媒体にファイルを記録する場合に、ファイル名が作成できない理由で記録できなくなる事態を回避することができる。
【発明を実施するための最良の形態】
【００１５】
以下、添付図面を参照して、本発明の好適な実施形態について説明する。
（第１の実施形態）
図１に、第１の実施形態に係るデジタルカメラの構成を示す。デジタルカメラ１００は、システムを制御するシステムコントローラ１０１と、各機能を処理するブロックとにより構成される。
【００１６】
１０２は撮像部であり、光学系とその光学系を制御するためのモータ、撮像素子等により構成される。カメラ１００を用いて映像を記録する際、撮像部１０２を通過した外光は撮像素子の面上に光学像を結像し、撮像素子により電気信号に変換される。１０３は画像音声処理部であり、撮像素子により変換された電気信号をデジタルデータに変換する。
【００１７】
１０４は記録媒体インターフェイス、１０５はカメラ本体の装着部に着脱可能に装着される記録媒体（記録メディア）である。装着部には記録媒体１０５として書き換え可能な記録媒体及び書き換え不能な記録媒体（ライトワンスの記録媒体）がいずれも装着可能となっている。画像音声処理部１０３により変換されたデジタルデータは記録媒体インターフェイス１０４を経由して記録媒体１０５に記録される。１０６は記録媒体１０５の装着状態を検出する記録媒体検出部である。１０７はカメラ本体に内蔵された記録媒体であり、画像音声処理部１０３により変換されたデジタルデータは記録媒体１０７に記録されることもある。
【００１８】
１０８は表示部であり、記録媒体１０５（もしくは１０７）に記録されたデータを再生する際、記録媒体１０５（もしくは１０７）から読み出されたデータは画像音声処理部１０３により表示に最適なデータに変換された後、表示部１０８に表示される。
【００１９】
１０９は音声出力部であり、カメラ内部の状態をユーザに知らせるための警告音や映像再生時の音声を出力する。警告やカメラの動作状態は、同時に表示部１０８にも表示される。
【００２０】
１１０はユーザ操作部であり、ユーザはカメラ１００の操作をユーザ操作部１１０によって行うことができる。１１１はバッテリの充電制御を行う充電池インターフェイスである。
【００２１】
図２、図３は、第１の実施形態に係るデジタルカメラの動作を説明するフローチャートである。以下に述べる各手段は、システムコントローラ１０１がプログラムに従って動作することにより実現される。
【００２２】
図２は、撮影時の基本的な動作を説明するフローチャートである。デジタルカメラ１００において、装着部に記録媒体（１）が装着された状態で静止画撮影を行うと（ステップＳ１０１）、画像データのファイルを記録媒体（１）に記録する処理を行う。
【００２３】
ファイルを記録する際に、記録するディレクトリ名及びファイル名を決定する必要がある。ファイル名の決定方法には大きく分けると「通し番号」及び「オートリセット」の２種類がある。
【００２４】
「通し番号」では、同一のカメラで撮影したファイル名が記録媒体によらず重複しないようにする。具体的には、ファイル名に割り当てる番号を決定するために用いる番号情報を記憶する内蔵メモリを備え、内蔵メモリに記憶されている番号情報と、装着部に装着された記録媒体１０５に格納されているファイルの番号とを比較することによりファイル名に割り当てる番号を決定する。より詳細には、内蔵メモリに記憶されている番号情報と、装着部に装着された記録媒体１０５に格納されている最大ファイル番号とを比較して、大きいほうに＋１した番号を割り当てる。なお、この「通し番号」が本発明でいう第１の決定方法に相当するものである。
【００２５】
「オートリセット」では、内蔵メモリに記憶されている番号情報を用いずに、装着部に装着された記録媒体１０５に格納されているファイルの番号を参照することによりファイル名に割り当てる番号を決定する。より詳細には、装着部に装着された記録媒体１０５に格納されている最大ファイル番号に＋１した番号を割り当てる。なお、この「オートリセット」が本発明でいう第２の決定方法に相当するものである。
【００２６】
これら２つのファイル名の決定方法は、図４に示すようなメニュー画面において選択設定することが可能である。
【００２７】
「通し番号」を選択した場合、図５に示すように、記録媒体（１）に対して撮影を繰り返し行い、ファイル名「YYYY0102.JPG」のファイルを記録した後、記録媒体（２）に交換し、撮影を行うと、ファイル名「YYYY0103.JPG」のファイルが作成、記録される。一方、「オートリセット」を選択した場合は、図６に示すように、記録媒体（１）に対して撮影を繰り返し行い、ファイル名「YYYY0102.JPG」のファイルを記録した後、記録媒体（２）に交換し、撮影を行うと、「YYYY0001.JPG」のファイルが作成、記録される。
【００２８】
図２に説明を戻して、次に、ファイル名の決定方法として「通し番号」が設定されているかどうかを判定する（ステップＳ１０２）。
【００２９】
ステップＳ１０２において「通し番号」が設定されている場合、カメラ１００で前回記録したディレクトリ番号、ファイル番号[PRNo]を内蔵メモリから読み出し、記録媒（１）内にある最大のディレクトリ番号、ファイル番号[FMAX]と比較する（ステップＳ１０３）。そして、[PRNo]の方が大きければ（[PRNo]＞[FMAX]）、[PRNo]＋１をファイル番号としてファイル名を生成し（ステップＳ１０４）、記録制御手段により記録媒体（１）にファイルを記録する（ステップＳ１０６）。一方、[FMAX]の方が大きければ（[PRNo]≦[FMAX]）、[FMAX]＋１をファイル番号としてファイル名を生成し（ステップＳ１０５）、記録制御手段により記録媒体（１）にファイルを記録する（ステップＳ１０６）。
【００３０】
また、ステップＳ１０２において「通し番号」ではなく「オートリセット」が設定されている場合、[FMAX]＋１をファイル番号としてファイル名を生成し（ステップＳ１０５）、記録制御手段により記録媒体（１）にファイルを記録する（ステップＳ１０６）。
【００３１】
ファイルを記録した後、記録したディレクトリ番号、ファイル番号を[PRNo]に記憶する（ステップＳ１０７）。
【００３２】
次に、ファイルを記録した記録媒体（１）がライトワンスの記録媒体であるかどうかを判定する（ステップＳ１０８）。ステップＳ１０８において記録媒体（１）がライトワンスの記録媒体でない場合、すなわち書き換え可能な記録媒体である場合、書き換え可能な記録媒体に対して最後に記録したディレクトリ番号、ファイル番号として、現在記録したディレクトリ番号、ファイル番号を[BUFNo]に記憶しておく（ステップＳ１０９）。
【００３３】
なお、図２のフローチャートでは、ライトワンスの記録媒体を利用しているときに「通し番号」が設定される状況もあるが、後述する第３の実施形態のようにライトワンスの記録媒体でも「通し番号」が選択できるようにする場合もありうる。また、あえてユーザ選択により「通し番号」を選択できるようにする場合もありうる。さらに、ライトワンスの記録媒体を利用した場合に「オートリセット」となる場合、図２の説明は書き換え可能な記録媒体を使っている場合の説明となるが（ステップＳ１０８の判定は必ずＮｏとなる）、ライトワンスの記録媒体を利用するときの設計を考慮して、図２のフローチャートの記載としたものである。
【００３４】
図３は、書き換え可能な記録媒体（１）を他の記録媒体（２）に交換するときの動作を説明するフローチャートである。記録媒体（１）を記録媒体（２）に交換した場合（ステ
ップＳ２０１）、「通し番号」が設定されているかどうかを判定する（ステップＳ２０２）。ステップＳ２０２において「通し番号」が設定されている場合、交換した記録媒体（２）がライトワンスの記録媒体であるかどうかを判定する（ステップＳ２０３）。
【００３５】
ステップＳ２０３において記録媒体（２）がライトワンスの記録媒体である場合、ファイル名の決定方法を「通し番号」から「オートリセット」に自動的に変更する（ステップＳ２０４）。一方、ステップＳ２０３において記録媒体（２）がライトワンスの記録媒体でない場合、すなわち書き換え可能な記録媒体である場合、書き換え可能な記録媒体に対して最後に記録したディレクトリ番号、ファイル番号[BUFNo]を前回記録したディレクトリ番号、ファイル番号[PRNo]に保持する（ステップＳ２０５）。
【００３６】
ここで、「通し番号」が設定されている状態で、記録媒体（１）が書き換え可能な記録媒体、記録媒体（２）も書き換え可能な記録媒体であったとする。そして、図５に示すように、記録媒体（１）にディレクトリ名「101yyyyy」、ファイル名「YYYY0102.JPG」のファイルまで記録したとする。この場合、記録媒体（２）に交換後、撮影を行うと、記録媒体（２）には「通し番号」に則ってディレクトリ名「101yyyyy」、ファイル名「YYYY0103.JPG」のファイルが記録される。
【００３７】
それに対して、「通し番号」が設定されている状態で、記録媒体（１）が書き換え可能な記録媒体、記録媒体（２）がライトワンスの記録媒体であったとする。そして、図６に示すように、記録媒体（１）にディレクトリ名「101yyyyy」、ファイル名「YYYY0102.JPG」のファイルまで記録したとする。この場合、記録媒体（２）に交換後、撮影を行うと、記録媒体（２）には「通し番号」から変更された「オートリセット」に則ってディレクトリ名「100yyyyy」、ファイル名「YYYY0001.JPG」のファイルが記録される。
【００３８】
さらに、その後、ライトワンスの記録媒体（２）を書き換え可能な記録媒体（３）に交換すると、「オートリセット」から「通し番号」に自動的に変更される。記録媒体（３）に交換後、撮影を行うと、[BUFNo]にディレクトリ名「101yyyyy」、ファイル名「YYYY0102.JPG」という情報が保持されているので、図７に示すように、記録媒体（３）には「通し番号」に則ってディレクトリ名「101yyyyy」、ファイル名「YYYY0103.JPG」のファイルが記録されることになる。
【００３９】
ライトワンスの記録媒体では、後の編集作業は困難であり、ファイルに飛び飛びの番号が割り当てられたり、急に大きな番号が割り当てられたりすることは好ましくない。特に大きな番号が割り当てられると、空き容量があるにもかかわらずファイルを記録できなくなる事態が生じうる。本発明を適用したデジタルカメラでは、ファイル名の決定方法が「通し番号」に設定されている状態で、書き換え可能な記録媒体からライトワンスの記録媒体に交換された場合、「オートリセット」に自動的に変更することにより、このような事態を回避することができる。
【００４０】
（第２の実施形態）
次に、第２の実施形態を説明する。なお、デジタルカメラの構成は第１の実施形態と同様であり（図１）、ここでは説明を省略する。
【００４１】
図８、図９は、第２の実施形態に係るデジタルカメラの動作を説明するフローチャートである。図８は、撮影時の基本的な動作を説明するフローチャートである。デジタルカメラ１００において、装着部に記録媒体（１）が装着された状態で静止画撮影を行うと（ステップＳ３０１）、画像データのファイルを記録媒体（１）に記録する処理を行う。
【００４２】
次に、ファイル名の決定方法として「通し番号」が設定されているかどうかを判定する（ステップＳ３０２）。
【００４３】
ステップＳ３０２において「通し番号」が設定されている場合、カメラ１００で前回記録したディレクトリ番号、ファイル番号[PRNo]を内蔵メモリから読み出し、記録媒（１）内にある最大のディレクトリ番号、ファイル番号[FMAX]と比較する（ステップＳ３０３）。そして、[PRNo]の方が大きければ（[PRNo]＞[FMAX]）、[PRNo]＋１をファイル番号としてファイル名を生成し（ステップＳ３０４）、記録媒体（１）にファイルを記録する（ステップＳ３０６）。一方、[FMAX]の方が大きければ（[PRNo]≦[FMAX]）、[FMAX]＋１をファイル番号としてファイル名を生成し（ステップＳ３０５）、記録媒体（１）にファイルを記録する（ステップＳ３０６）。
【００４４】
また、ステップＳ３０２において「通し番号」ではなく「オートリセット」が設定されている場合、[FMAX]＋１をファイル番号としてファイル名を生成し（ステップＳ３０５）、記録媒体（１）にファイルを記録する（ステップＳ３０６）。
【００４５】
ファイルを記録した後、記録したディレクトリ番号、ファイル番号を[PRNo]に記憶する（ステップＳ３０７）。
【００４６】
次に、ファイルを記録した記録媒体（１）がライトワンスの記録媒体であるかどうかを判定する（ステップＳ３０８）。ステップＳ３０８において記録媒体（１）がライトワンスの記録媒体でない場合、すなわち書き換え可能な記録媒体である場合、書き換え可能な記録媒体に対して最後に記録したディレクトリ番号、ファイル番号として、現在記録したディレクトリ番号、ファイル番号を[BUFNo]に記憶しておく（ステップＳ３０９）。一方、ステップＳ３０８において記録媒体１がライトワンスの記録媒体である場合、ライトワンスの記録媒体に対して撮影した回数を保持している[CNT]に＋１を加え、[CNT]を更新する（ステップＳ３１０）。
【００４７】
図９は、書き換え可能な記録媒体（１）を他の記録媒体（２）に交換するときの動作を説明するフローチャートである。記録媒体（１）を記録媒体（２）に交換した場合（ステップＳ４０１）、「通し番号」が設定されているかどうかを判定する（ステップＳ４０２）。ステップＳ４０２において「通し番号」が設定されている場合、交換した記録媒体（２）がライトワンスの記録媒体であるかどうかを判定する（ステップＳ４０３）。
【００４８】
ステップＳ４０３において記録媒体（２）がライトワンスの記録媒体である場合、ファイル名の決定方法を「通し番号」から「オートリセット」に自動的に変更する（ステップＳ４０４）。一方、ステップＳ４０３において記録媒体（２）がライトワンスの記録媒体でない場合、すなわち書き換え可能な記録媒体である場合、書き換え可能な記録媒体に対して最後に記録したディレクトリ番号、ファイル番号[BUFNo]を前回記録したディレクトリ番号、ファイル番号[PRNo]に保持する（ステップＳ４０５）。さらに、[PRNo]に対し、前回書き換え可能な記録媒体で最後に撮影してから、ライトワンスの記録媒体で撮影した回数[CNT]を加えて、[PRNo]に保持し（ステップＳ４０６）、[CNT]をクリアする（ステップＳ４０７）。
【００４９】
ここで、「通し番号」が設定されている状態で、記録媒体（１）が書き換え可能な記録媒体、記録媒体（２）がライトワンスの記録媒体であったとする。そして、図１０に示すように、記録媒体（１）にディレクトリ名「101yyyyy」、ファイル名「YYYY0102.JPG」のファイルまで記録したとする。この場合、記録媒体（２）に交換後、撮影を行うと、記録媒体（２）には「通し番号」から変更された「オートリセット」に則ってディレクトリ名「100yyyyy」、ファイル名「YYYY0001.JPG」のファイルが記録される。
【００５０】
さらに、その後、ライトワンスの記録媒体（２）を書き換え可能な記録媒体（３）に交換すると、「オートリセット」から「通し番号」に自動的に変更される。記録媒体（３）に交換後、撮影を行うと、[BUFNo]にディレクトリ名「101yyyyy」、ファイル名「YYYY0102.JPG」という情報が保持され、[CNT]に１が保持されているので、記録媒体（３）にはディレクトリ名「101yyyyy」、ファイル名「YYYY0104.JPG」のファイルが記録されることになる。
【００５１】
このように、第２の実施形態では、「通し番号」が設定されている状態で、書き換え可能な記録媒体（１）をライトワンスの記録媒体（２）に交換後、さらに記録媒体（２）を書き換え可能な記録媒体（３）に交換して、「オートリセット」から「通し番号」に戻ったときに、「オートリセット」によりファイル名に割り当てた番号を内蔵メモリに反映させることができる。
【００５２】
（第３の実施形態）
次に、第３の実施形態を説明する。上記第１、２の実施形態では、「通し番号」に設定されている状態で、書き換え可能な記録媒体からライトワンスの記録媒体に交換された場合、「オートリセット」に自動的に変更する例を説明した。第３の実施形態では、「通し番号」に設定されている状態で、書き換え可能な記録媒体からライトワンスの記録媒体に交換された場合、警告を行う例を説明する。なお、デジタルカメラの構成は第１の実施形態と同様であり（図１）、ここでは説明を省略する。
【００５３】
図１１は、書き換え可能な記録媒体（１）を他の記録媒体（２）に交換するときの動作を説明するフローチャートである。記録媒体（１）を記録媒体（２）に交換した場合（ステップＳ５０１）、「通し番号」が設定されているかどうかを判定する（ステップＳ５０２）。ステップＳ５０２において「通し番号」が設定されている場合、交換した記録媒体（２）がライトワンスの記録媒体であるかどうかを判定する（ステップＳ５０３）。
【００５４】
ステップＳ５０３において記録媒体（２）がライトワンスの記録媒体である場合、警告処理を行う（ステップＳ５０４）。この警告処理については後述する。一方、ステップＳ５０３において記録媒体（２）がライトワンスの記録媒体でない場合、すなわち書き換え可能な記録媒体である場合、書き換え可能な記録媒体に対して最後に記録したディレクトリ番号、ファイル番号[BUFNo]を前回記録したディレクトリ番号、ファイル番号[PRNo]に保持する（ステップＳ５０５）。
【００５５】
ここで、既述したが、ＤＣＦ規格では、ルートディレクトリ「DCIM」以下に、３桁の100〜999までの数字と５桁の任意の文字列から構成されるディレクトリ名、例えば「100CANON」を作成する。また、各ディレクトリには４桁の任意の文字列と0001〜9999までの数字で構成されたファイル、例えば「IMG_0001.JPG」が記録される。この規格上の最大ファイル名は「999CANON/IMG_9999.JPG」となる（図１２を参照）。ただし、ファイル名の生成規則はユーザの利便性を考慮して定められるためＤＣＦ規格の範囲内で独自に決めることができる。そのため最大ファイル番号は必ずしもＤＣＦ規格の最大のファイル番号となるわけではない。
【００５６】
本実施形態では、ファイル名の決定方法が「通し番号」に設定されている状態で、書き換え可能な記録媒体からライトワンスの記録媒体に交換された場合、ファイル番号が上限に達することを事前にかつ適切なタイミングでユーザに知らせるものである。
【００５７】
まず、最大ファイル番号に達するまでの残りファイル数（作成可能ファイル数）Ａの算出について述べる。ファイル数算出手段は、現在のディレクトリ番号をDIRnow、現在のファイル番号をFILEnow、最大ディレクトリ番号をDIRmax、ディレクトリ毎の最小ファイル番号をFILEmin、最大ファイル番号をFILEmaxとすると、作成可能ファイル数（Ａ）FILEremを次式で求める。
FILErem＝（DIRmax−DIRnow）×（FILEmax−FILEmin＋１）＋（FILEmax−FILEnow）
【００５８】
現在のファイル名が"998CANON/IMG_0100.JPG"で、DIRmax＝999、FILEmin＝0001、FILEmax＝1000とすると、上述した式を用いて作成可能ファイル数Ａは１９００ファイルと算出される。
【００５９】
次に、記録媒体に記録可能なファイル数（記録可能ファイル数）Ｂの算出について述べる。図１３に示すように、まず、記録媒体残容量取得手段によって、装着された記録媒体１０５の残容量（記録可能残量）を取得する（ステップＳ６０１）。
【００６０】
次に、画質設定取得手段によって、現在設定されている解像度と画質を取得する（ステップＳ６０２）。ユーザはカメラで撮影する画像の解像度と画質を選択することができ、各設定の標準ファイルサイズは、例えば表１に示す標準画像サイズテーブルのようになっている。ＪＰＥＧを始めとする圧縮可能なファイルのファイルサイズは絵柄によって異なるため、ここでは経験的に求められた平均的なファイルサイズを採用する。
【００６１】
【表１】
2010050851.tif 000003
【００６２】
また、画質設定取得手段によって、標準画像サイズテーブルから設定に対応する標準画像サイズを取得する（ステップＳ６０３）。
【００６３】
そして、ステップＳ６０１において取得した記録可能残量とステップＳ６０３において取得した標準画像サイズより記録可能ファイル数Ｂを求める（ステップＳ６０４）。記録可能残量をSIZErem、標準画像サイズをSIZEstdとすると、記録可能ファイル数（Ｂ）FILEremは次式で求められる。
FILErem＝SIZErem／SIZEstd
【００６４】
ファイル数比較手段は、上述したようにして求めた作成可能ファイル数Ａと記録可能ファイル数Ｂとを比較する。その結果、記録可能ファイル数Ｂが作成可能ファイル数Ａを上回っている場合、このまま撮影を継続すると記録媒体が一杯になる前にファイル番号の上限に達してしまうおそれがあると判断する。
【００６５】
図１４は、図１１のステップＳ５０４の警告処理のフローチャートである。警告処理では、装着部に装着されたライトワンスの記録媒体（２）の残容量に応じて、警告の要否を判定する。
【００６６】
まず、交換した記録媒体２に記録されているファイルを解析し、上述したようにして作成可能ファイル数Ａを算出する（ステップＳ７０１）。
【００６７】
また、交換した記録媒体２の残容量を求めて、上述したようにして記録可能ファイル数Ｂを算出する（ステップＳ７０２）。
【００６８】
そして、ステップＳ７０１とステップＳ７０２において求めたファイル数の比較を行い（ステップＳ７０３）、記録可能ファイル数Ｂが作成可能ファイル数Ａを上回っている場合、警告を行う（ステップＳ７０４）。警告としては、このまま撮影を継続すると記録媒体が一杯になる前にファイル番号の上限に達してしまうおそれがある旨を表示部１０８に表示する。
【００６９】
本実施形態では、「通し番号」に設定されている状態で、書き換え可能な記録媒体からライトワンスの記録媒体に交換された場合、警告を行う例を述べたが、以下に述べるように、各種動作中に警告を行うようにしてもよい。
【００７０】
図１５を参照して、記録媒体の認識時の警告の手順を説明する。記録媒体の認識は、記録媒体１０５が装着されたときか、カメラ１００の電源が入りシステムが起動したときに行われる。システムコントローラ１０１は記録媒体１０５の装着状態を監視しており（ステップＳ８０１）、装着検知されたら記録媒体１０５にアクセスするための認識処理を行う（ステップＳ８０２）。
【００７１】
続いて、記録媒体１０５に記録されているファイルを解析し（ステップＳ８０３）、ファイル番号の最も大きい物を最終ファイルとする。ここで取得した番号の続きに次回記録するファイル番号を設定するとともに最大ファイル番号までのファイル数（作成可能ファイル数Ａ）を算出する（ステップＳ８０４）。
【００７２】
また、記録媒体１０５の残容量を求めて、そこから記録可能ファイル数Ｂを算出する（ステップＳ８０５）。
【００７３】
そして、ステップＳ８０４とステップＳ８０５において求めたファイル数の比較を行い（ステップＳ８０６）、記録可能ファイル数Ｂが作成可能ファイル数Ａを上回っている場合、警告を行う（ステップＳ８０７）。警告としては、このまま撮影を継続すると記録媒体が一杯になる前にファイル番号の上限に達してしまうおそれがある旨を表示部１０８に表示する。この比較結果はカメラ本体内の揮発性記憶媒体に記憶される（ステップＳ８０８）。
【００７４】
次に、図１６を参照して、画像記録時の警告の手順を説明する。ユーザの操作により記録処理によって画像データが作成され（ステップＳ９０１）、ファイル番号作成手段によって作成されたファイル番号からファイル名を作成して（ステップＳ９０２）、記録媒体への書き込みを行う（ステップＳ９０３）。ファイルが増えたことにより作成可能ファイル数Ａを更新する（ステップＳ９０４）。
【００７５】
また、記録媒体１０５の残容量を取得し（ステップＳ９０５）、そこから記録可能ファイル数Ｂを算出する（ステップＳ９０６）。
【００７６】
そして、ステップＳ９０４とステップＳ９０６において求めたファイル数の比較を行い（ステップＳ９０７）、記録可能ファイル数Ｂが作成可能ファイル数Ａを上回っている場合、警告を行う（ステップＳ９０８）。警告としては、このまま撮影を継続すると記録媒体が一杯になる前にファイル番号の上限に達してしまうおそれがある旨を表示部１０８に表示する。この比較結果はカメラ本体内の揮発性記憶媒体に記憶される（ステップＳ９０９）。
【００７７】
次に、図１７を参照して、ファイル消去時の警告の手順を説明する。ファイル消去とは、再生中の画像を１枚消去する場合、記録媒体の画像を全て消去する場合、記録媒体のフォーマットを行う場合等の操作を行うことである。ユーザ操作によりファイルが消去されたら（ステップＳ１００１）、ファイルが減ったことにより作成可能ファイル数Ａの計算を行う（ステップＳ１００２）。
【００７８】
また、記録媒体１０５の残容量を取得し（ステップＳ１００３）、そこから記録可能ファイル数Ｂを算出する（ステップＳ１００４）。
【００７９】
そして、ステップＳ１００２とステップＳ１００４において求めたファイル数の比較を行い（ステップＳ１００５）、記録可能ファイル数Ｂが作成可能ファイル数Ａを上回っている場合、警告を行う（ステップＳ１００６）。警告としては、このまま撮影を継続すると記録媒体が一杯になる前にファイル番号の上限に達してしまうおそれがある旨を表示部１０８に表示する。この比較結果はカメラ本体内の揮発性記憶媒体に記憶される（ステップＳ１００７）。
【００８０】
次に、図１８を参照して、外部機器の接続時の警告の手順を説明する。システムコントローラ１０１は外部機器の接続を監視しており（ステップＳ１１０１）、外部機器が接続されると接続処理を行う（ステップＳ１１０２）。外部機器接続時はファイル数の増減がないので、既に計算された比較結果のみを取得し（ステップＳ１１０３）、ファイル数の比較（ステップＳ１１０４）と、必要に応じた警告を行う（ステップＳ１１０５）。
【００８１】
次に、図１９を参照して、画質設定の変更時の警告の手順を説明する。ユーザの操作により画質が変更された場合（ステップＳ１２０１）、画質設定取得手段により画質設定状態を取得し（ステップＳ１２０２）、標準画像サイズテーブルから標準画像サイズを取得する（ステップＳ１２０３）。画質設定では作成可能ファイル数Ａの変動はないので、最新の作成可能ファイル数Ａを取得する（ステップＳ１２０４）。
【００８２】
また、記録媒体１０５の残容量を取得し（ステップＳ１２０５）、そこから記録可能ファイル数Ｂを算出する（ステップＳ１２０６）。
【００８３】
そして、ステップＳ１２０４とステップＳ１２０６において求めたファイル数の比較を行い（ステップＳ１２０７）、記録可能ファイル数Ｂが作成可能ファイル数Ａを上回っている場合、警告を行う（ステップＳ１２０８）。警告としては、このまま撮影を継続すると記録媒体が一杯になる前にファイル番号の上限に達してしまうおそれがある旨を表示部１０８に表示する。この比較結果はカメラ本体内の揮発性記憶媒体に記憶される（ステップＳ１２０９）。
【００８４】
以上、ファイル番号に関する警告を表示する処理に関する流れを説明してきたが、作成可能ファイル数が十分にある場合、例えば１万ファイル以上あるときは行う必要はない。
【００８５】
また、撮影中の警告では、１ファイル撮影ごとに警告が出るとユーザが煩わしさを感じるため、警告を一度表示したら次の記録媒体の着脱まで警告アイコンのみの表示を行うようにする。表示内容については次に述べる。
【００８６】
図２０、２１は、ファイル番号警告に関する表示例である。カメラはモード判別手段によって、撮影モードと再生モードを判別する。ファイル番号警告表示はモードによって異なり、記録残ファイル数が情報として必要になるカメラモードでは警告文字を表示した上でアイコンを常に表示させる。また、再生モードではアイコンのみの表示となる。
【００８７】
図２０（ａ）にはカメラ撮影モードにおけるプレビュー画面を示す。右上に示されている数値は装着されている記録媒体の記録可能残枚数である。各種撮影に関する設定内容は画面左にアイコンで並べられている。このとき作成可能ファイル数Ａが３０００枚であると仮定する。
【００８８】
図２０（ｂ）には画像サイズの設定画面を示す。ユーザはユーザ操作部１１０を使用して、Ｌ（ラージ）、Ｍ（ミドル）、Ｓ（スモール）の３種類から選択撮影サイズを選択できる。また、この変更に伴い残容量の再計算を行い、記録可能残枚数も変化する。
【００８９】
図２０（ｃ）には画質設定画面を示す。ここでは３段階の画質、S.FINE（最高画質）、FINE（高画質）、NORMAL（普通画質）から選択できる。画質をNORMALに設定した場合、記録可能残枚数はさらに増え４０００枚となる。このとき、作成可能ファイル数Ａの３０００枚をはじめて超えるため、図２０（ｄ）に示すように、ファイル番号警告が出る。警告は文字列と説明文、さらに右上に警告アイコン５１が表示される。なお、文字列は規定時間表示された後消え、右上の警告アイコン５１のみの表示となる（図２０（ｅ）を参照）。撮影中やカメラの電源立ち上げ時にファイル警告が出る場合、図２０（ｄ）と同じ表示となる。
【００９０】
図２１（ａ）には再生撮影モードにおける表示画面を示す。右上にディレクトリ番号とファイル番号、全画像数と現在の表示画像の分子分母で表示される。図２１（ｂ）に示すように、再生モードでの作成可能ファイル数警告は右上に表示される警告アイコン５１のみとなっている。
【００９１】
図２１（ｃ）には外部器機接続処理中の表示画面を示す。外部器機接続中の文字列が中央に表示され、ユーザに接続処理中であることを知らせる。外部器機の接続が確立したら、図２１（ｄ）に示すように、左上のアイコンが外部器機接続中のアイコンに切り換わる。図２１（ｅ）に示すように、外部器機の接続が確立した時点でファイル番号警告を表示する条件であれば、警告文字列と説明文字列、右上の警告アイコン５１が表示される。接続された器機がパーソナルコンピュータ等のデータを移動させることのできる器機であるならば、ユーザにファイルの移動、バックアップを促すように説明文字列は「ファイルのバックアップを取ってください」となる。図２１（ｆ）に示すように、外部器機接続定常状態では右上の警告アイコン５１のみ表示される。
【００９２】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００９３】
この場合、記憶媒体から読み出されたプログラムコード自体が上述した実施形態の機能を実現することになり、プログラムコード自体及びそのプログラムコードを記憶した記憶媒体は本発明を構成することになる。
【００９４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９５】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００９６】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００９７】
【図１】第１の実施形態に係るデジタルカメラの構成を示すブロック図である。
【図２】第１の実施形態に係るデジタルカメラの動作を説明するフローチャートである。
【図３】第１の実施形態に係るデジタルカメラの動作を説明するフローチャートである。
【図４】ファイル名の決定方法を設定するメニュー画面の例を示す図である。
【図５】ファイル構成例を示す図である。
【図６】ファイル構成例を示す図である。
【図７】ファイル構成例を示す図である。
【図８】第２の実施形態に係るデジタルカメラの動作を説明するフローチャートである。
【図９】第２の実施形態に係るデジタルカメラの動作を説明するフローチャートである。
【図１０】ファイル構成例を示す図である。
【図１１】第３の実施形態に係るデジタルカメラの動作を説明するフローチャートである。
【図１２】ファイル構成例を示す図である。
【図１３】第３の実施形態に係るデジタルカメラの動作を説明するフローチャートである。
【図１４】第３の実施形態に係るデジタルカメラの動作を説明するフローチャートである。
【図１５】第３の実施形態に係るデジタルカメラの動作を説明するフローチャートである。
【図１６】第３の実施形態に係るデジタルカメラの動作を説明するフローチャートである。
【図１７】第３の実施形態に係るデジタルカメラの動作を説明するフローチャートである。
【図１８】第３の実施形態に係るデジタルカメラの動作を説明するフローチャートである。
【図１９】第３の実施形態に係るデジタルカメラの動作を説明するフローチャートである。
【図２０】ファイル番号警告に関する表示例を示す図である。
【図２１】ファイル番号警告に関する表示例を示す図である。
【符号の説明】
【００９８】
１００：デジタルカメラ
１０１：システムコントローラ
１０２：撮像部
１０３：画像音声処理部
１０４：記録媒体インターフェイス
１０５：記録媒体
１０６：記録媒体検出部
１０７：内蔵された記録媒体
１０８：表示部
１０９：音声出力部
１１０：ユーザ操作部
１１１：充電池インターフェイス
【図１】
2010050851.tif 000004
【図２】
2010050851.tif 000005
【図３】
2010050851.tif 000006
【図４】
2010050851.tif 000007
【図５】
2010050851.tif 000008
【図６】
2010050851.tif 000009
【図７】
2010050851.tif 000010
【図８】
2010050851.tif 000011
【図９】
2010050851.tif 000012
【図１０】
2010050851.tif 000013
【図１１】
2010050851.tif 000014
【図１２】
2010050851.tif 000015
【図１３】
2010050851.tif 000016
【図１４】
2010050851.tif 000017
【図１５】
2010050851.tif 000018
【図１６】
2010050851.tif 000019
【図１７】
2010050851.tif 000020
【図１８】
2010050851.tif 000021
【図１９】
2010050851.tif 000022
【図２０】
2010050851.tif 000023
【図２１】
2010050851.tif 000024